(57)【要約】【課題】軽量であり、接合部の剛性を高めた構造の中空押出形材及びその中空押出形材で構成された鉄道車両用構体を提供すること。【解決手段】上面板１１と下面板１２との間に複数の斜面板１３を張り渡し、その上面板１１、下面板１２及び斜面板１３によって幅方向断面を三角形としたトラス構造からなるものであって、隣り合う斜面板１３の中心線Ｌの交点ｐ３が上面板１１又は下面板１２の上に位置するように形成された中空押出形材１。【選択図】図１
2007084067.tif 000002
【特許請求の範囲】
【請求項１】
上面板と下面板との間に複数の斜面板を張り渡し、その上面板、下面板及び斜面板によって幅方向断面を三角形としたトラス構造からなる中空押出形材において、
隣り合う前記斜面板の中心線の交点が前記上面板又は下面板の上に位置するように形成されものであることを特徴とする中空押出形材。
【請求項２】
請求項１に記載する中空押出形材において、
前記斜面板の中心線の交点は、前記上面板又は下面板の上下方向外側面からみて０．３ｍｍから、前記上面板又は下面板の板厚の７０パーセントの位置までの間にあることを特徴とする中空押出形材。
【請求項３】
上面板と下面板との間に複数の斜面板を張り渡し、その上面板、下面板及び斜面板によって幅方向断面を三角形としたトラス構造からなる中空押出形材であって、その中空押出形材同士の幅方向端面を突き合わせて、その突き合わせ部分を撹拌摩擦接合によって接合して構成した鉄道車両用構体において、
隣り合う前記斜面板の中心線の交点が前記上面板又は下面板の上に位置するように形成された前記中空押出形材によって構成されたものであることを特徴とする鉄道車両用構体。
【請求項４】
請求項３に記載する鉄道車両用構体において、
前記斜面板の中心線の交点が前記上面板又は下面板の上下方向外側面からみて０．３ｍｍから、前記上面板又は下面板の板厚の７０パーセントの位置までの間にある前記中空押出形材によって構成されたものであることを特徴とする鉄道車両用構体。
【発明の詳細な説明】
【技術分野】
【０００１】
本発明は、鉄道車両や建築物などに使用される中空押出形材に関し、特に軽量であり、接合部の剛性を高めた構造の中空押出形材およびその中空押出形材で構成した鉄道車両用構体に関する。
【背景技術】
【０００２】
鉄道車両では、高速化の要請が大きく車体の軽量化が求められている一方で、例えばトンネルの出入りや対向車とのすれ違い時に車体室内と外との圧力差によって生じる荷重に耐え得る強度を必要とする。鉄道車両を構成する構体には、アルミなどの軽合金材料を押出し加工した中空押出形材が使用されている。鉄道車両用構体を構成する中空押出形材は、数百ｍｍ幅で車体長手方向に長いパネルであり、それらが幅方向に溶接して構体が構成されている。従って、中空押出形材で構成された高速鉄道車両の車体強度を確保するには、接合部分について剛性を高めることが重要である。
【０００３】
ここで、図１１は、鉄道車両用構体を構成する中空押出形材の接合部を示した図である。中空押出形材１００，１１０は、上面板１０１，１１１と下面板１０２，１１２とこれを接続する斜面板１０３，１１３とからなる。斜面板１０３，１１３はそれぞれ複数あり、トラス状に配置されている。斜面板１０３，１１３の傾斜の方向は交互である。そして、一方の中空押出形材１００は、その端部に上面板１０１と下面板１０２とを連結する垂直な支持板１０４が形成され、その上下位置に突出片１０５が突設されている。その突出片１０５は、他方の中空押出形材１１０の端部に嵌まり込み、支持板１０４は中空押出形材１１０の端部を支えるようになっている。
【０００４】
中空押出形材１００，１１０は、図１１に示すように厚肉の自由端部１０６，１１６が形成され、それらが支持板１０４の上下の位置で突き当てられている。そして、２つの中空押出形材１００，１１０の自由端部１０６，１１６が突き当てられた接合線に沿って回転工具２００が移動することにより摩擦撹拌接合が行われる。
ところで、こうした中空押出形材１００，１１０は、回転工具２００の押し付け力が大きいため支持板１０４が設けられているが、その位置や厚肉幅の設定が難しく、設計上大きな制約を受けることになる。
【０００５】
かかる欠点を解消するためには、支持板１０４が無くても摩擦撹拌接合が行えるように、図１２に示すようにボビンツールと呼ばれる被接合材を上下のショルダで挟み込む回転工具１０が使用される。回転工具３００によって接合される中空押出形材１３０は、平行な上面板１３１と下面板１３２の間には斜面板１３３が連結され、上面板１３１及び下面板１３２の両端部には側面板１３４が形成され、その側面板１３４を越えて上面板１３１及び下面板１３２の延長上に自由端部１３５が突設されている。
【０００６】
中空押出形材１３０同士の接合は、自由端部１３５を突き合わせ、その部分を図示するように、回転工具３００のショルダ３１０，３２０で挟み込み、プローブ３３０が回転しながら接合線に沿って移動する。この回転工具３００によれば、上下一対のショルダ３１０，３２０間で互いの反力を受けるので、摩擦撹拌接合を行うに際して、図１１に示す支持板１０４や裏当金などが不要になる。そして、この回転工具３００を使用して行う摩擦撹拌接合により、一対の中空押出形材１３０は、その自由端部１３５同士が突き当てられた部分が摩擦熱による塑性流動によって接合する。
【特許文献１】特開２００４−４２１１５号公報（第３頁、第５頁、図１、図７）
【発明の開示】
【発明が解決しようとする課題】
【０００７】
ところで、図１２に示した中空押出形材１３０は、接合部に側面板１３４が設けられているが、これは図１１に示す回転工具２００で摩擦撹拌接合を行う場合に押し付け力を支えるための支柱として機能するようなものである。従って、被接合材を上下のショルダ３１０，３２０で挟み込む回転工具３００を使用する場合、側面板１３４は接合時に何ら機能するものではない。更に、接合後にこの中空押出形材１３０の接合部に作用するせん断力を考えると、側面板１３４は、後述するように接合部の剛性高めるものとしても十分に機能しない。
【０００８】
そうした側面板１３４は、長尺な中空押出形材１３０の長手方向の全長に渡って形成されているため、その中空押出形材１３０の重量を重くしてしまう。従って、中空押出形材１３０は鉄道車両用構体などに使用されるが、近年、鉄道車両の高速化に伴う車体軽量化にとって好ましいものではなかった。
そこで、図１２に示すように回転工具３００を使用して摩擦撹拌接合を行う場合には側面板１３４は無くしてもよく、それによって鉄道車両用構体を軽量化することができる。しかし、その場合にでも剛性は更に低くなってしまい、その点で好ましいものではなかった。
【０００９】
そこで、本発明は、かかる課題を解決すべく、軽量であり、接合部の剛性を高めた構造の中空押出形材及びその中空押出形材で構成された鉄道車両用構体を提供することを目的とする。
【課題を解決するための手段】
【００１０】
本発明の中空押出形材は、上面板と下面板との間に複数の斜面板を張り渡し、その上面板、下面板及び斜面板によって幅方向断面を三角形としたトラス構造からなるものであって、隣り合う前記斜面板の中心線の交点が前記上面板又は下面板の上に位置するように形成されものであることを特徴とする。
また、本発明の中空押出形材は、前記斜面板の中心線の交点が、前記上面板又は下面板の上下方向外側面からみて０．３ｍｍから、前記上面板又は下面板の板厚の７０パーセントの位置までの間にあることが好ましい。
【００１１】
また、本発明の鉄道車両用構体は、上面板と下面板との間に複数の斜面板を張り渡し、その上面板、下面板及び斜面板によって幅方向断面を三角形としたトラス構造からなる中空押出形材であって、その中空押出形材同士の幅方向端面を突き合わせて、その突き合わせ部分を撹拌摩擦接合によって接合して構成したものであって、隣り合う前記斜面板の中心線の交点が前記上面板又は下面板の上に位置するように形成された前記中空押出形材によって構成されたものであることを特徴とする。
また、本発明の鉄道車両用構体は、前記斜面板の中心線の交点が前記上面板又は下面板の上下方向外側面からみて０．３ｍｍから、前記上面板又は下面板の板厚の７０パーセントの位置までの間にある前記中空押出形材によって構成されたものであることが好ましい。
【発明の効果】
【００１２】
よって、本発明によれば、隣り合う前記斜面板の中心線の交点を上面板又は下面板の上に位置するように形成したので、中空押出形材の断面内におけるせん断変形に対する剛性を向上させることができ、その中空形材によって構成された鉄道車両用構体も剛性を向上させることができる。
【発明を実施するための最良の形態】
【００１３】
次に、本発明に係る中空押出形材の一実施形態について図面を参照しながら以下に説明する。図１は、本実施形態の中空押出形材について接合部を示した図である。
この中空押出形材１は、従来のものと同様に２枚の平行な上面板１１と下面板１２との間に、複数の斜面板１３が交互に傾きの方向を変えて張り渡されたトラス状のパネルである。そして、本実施形態では、図面左右方向の両端部において上面板１１の延長上に、厚肉の自由端部１５，１５が形成されている。
【００１４】
本実施形態の中空押出形材１は、鉄道車両用構体を構成するように数百ｍｍ幅で車体長手方向に長いパネルであって、それが図面左右の幅方向に溶接接合されている。ここで、図９は、中空押出形材で構成された鉄道車両用構体を示した外観図である。鉄道車両用構体８０は、長手方向に対して左右の面を形成する側構体８１と、車体長手方向に対して両端を閉鎖する面を形成する妻構体８２と、屋根を形成する屋根構体８３と、床面を形成する台枠８４とから構成されている。そのうち、側構体８１や屋根構体８３は、所定幅で形成された長尺な中空押出形材１を幅方向に溶接してつくられている。
【００１５】
中空押出形材１同士を接合する場合、一対の中空押出形材１が横に並べられ、図１に示すように上面板１１の延長上に厚肉に形成された自由端部１５同士、下面板１２同士がそれぞれ突き当てられる。そして、自由端部１５と下面板１２の各突き当て部分Ｔ１，Ｔ２が摩擦撹拌によって接合される。ここで、図２は、接合時の状態を示した図である。
摩擦撹拌接合には、前述した図１２に示す場合と同様の回転工具５０が使用される。この回転工具５０は、被接合材である上面板１１の自由端部１５や下面板１２を上下から挟むピンツール５１，５２が配置され、接合部を回転移動する撹拌ピン５３がそのピンツール５１，５２と同軸に設けられている。一体に形成されたピンツール５１，５２及び撹拌ピン５３は、不図示のモータによって回転するようになっている。
【００１６】
そこで、幅方向に突き当てられた中空押出形材１同士をこの回転工具５０で接合する場合、突き当てた上面板１１の自由端部１５、或いは下面板１２の接合部をそれぞれピンツール５１，５２で挟み込み、その突き当て部分Ｔ１，Ｔ２（図１参照）に回転する撹拌ピン５３が押し付けられ、そのまま回転工具５０が長手方向（図面を貫く方向）に沿って移動する。このとき、上面板１１の自由端部１５や下面板１２の各突き当て部分Ｔ１，Ｔ２は、発熱および軟化し、塑性流動を引き起こして固相接合することになる。そして、中空押出形材１は、幅方向の突き当て部分Ｔ１，Ｔ２が長手方向の接合線に沿って摩擦撹拌接合される。
【００１７】
本実施形態の中空押出形材１は、このようにピンツール５１，５２で被接合材を挟み込む回転工具５０を使用するので、接合時に図１１に示す回転工具２００のような押し付け力がかからない。そのため、図１１及び図１２に示す中空押出形材１００，１１０，１３０のように端部に垂直な支持板が設けられていない。そして、この中空押出形材１は、前述したように２枚の平行な上面板１１と下面板１２との間に、複数の斜面板１３が交互に傾きの方向を変えて張り渡されトラスが構成され、せん断力に対する剛性が高められている。従って、中空押出形材１同士が接合して構成された鉄道車両用構体は、側構体８１や屋根構体８３の断面が全て三角形のトラスを構成するようになっている。
【００１８】
しかしながら、接合部においても斜面板１３によってトラスを構成しようとする場合、その接合部に回転工具５０のピンツール５１が入り込むだけのスペースを確保する必要があった。そうでなければ、ピンツール５１が接合部を削り取ってしまい強度の低下を引き起こしてしまう。
例えば、図１０は、本実施形態の中空押出形材と近似した構成の中空押出形材１５０の接合部を示している。この中空押出形材１５０も被接合材をピンツール５１，５２で挟み込む回転工具５０によって接合するものである。
【００１９】
そこで、トラスを構成する斜面板１５３を見てみると、斜面板１５３ａと１５３ｂ、あるいは斜面板１５３ｂ同士では、その厚さのほぼ中心を通る基準線Ｌの交点ｐ１が上面板１５１や下面板１５２内に位置している。一方、接合部に位置する端部の斜面板１５３ａ同士では、その基準線Ｌの交点ｐ２は下面板１５２の外側に位置している。すなわち、この接合部にできた斜面板１５３ａ、上面板１５１及び下面板１５２で囲まれた断面形状は三角形ではなく台形である。ところが、断面形状が台形では、上面板１５１及び下面板１５２に作用するせん断力に対して不安定であり剛性が低い。これは、図１２に示す側面板１３４を有する中空押出形材１３０でも同様である。
【００２０】
一方、図１０に示すものの場合、交点ｐ２がその中空押出形材１５０内に入るか、より近づくように斜面板１５３ａの角度を変えるなどすると、回転工具５０のピンツール５１の入るスペースが狭くなる。すると、前述したように上面板１５１同士の接合部分では、内側が斜面板１５３から上面板１５１にかけて破線で示すように曲面１５５になっているため、その曲面１５５部分が削り取られてしまう。これは、中空押出形材１５０の必要な強度を低下させることにもなるため好ましくはない。そして、削り取りを考慮して余分な肉厚で形成すると、押し出し加工の安定性が落ちたり、材料の無駄を多くしたり、重量増加になるなどの問題が生じることとなる。
【００２１】
そこで、本実施形態の中空押出形材１は、こうした点を考慮して、図１に示すような断面形状で構成されている。中空押出形材１は、前述したように上面板１１と下面板１２との間に、トラスを構成する複数の斜面板１３が設けられているが、接合部を挟んで配置される端部の斜面板１３ａは、他の斜面板１３ｂとは異なる断面形状をしている。すなわち、その斜面板１３ａを下面板１２から上面板１１にかけて見た場合、先ず下面板１２から連続して薄肉の傾斜部２１が形成され、更に上面板１１に対してはほぼ直交するように曲げられた厚肉の屈曲部２２が連続するように形成されている。
【００２２】
本実施形態では、こうして斜面板１３ａを傾斜部２１と屈曲部２２とから構成することにより、傾斜部２１の傾きθをより大きくしながらも、回転工具５０のピンツール５１が入るように、屈曲部２２，２２の間のスペースを確保している。
【００２３】
次に、この中空押出形材１の接合部の斜面板１３ａと他の斜面板１３ｂについて、その特徴を更に詳しく説明する。先ず、図３は、斜面板１３ｂの一部を示した図であり、特に隣り合う斜面板１３ｂ同士が上面板１１或いは下面板１２とで構成するトラスの頂角部分を示した図である。ここでは、上面板１１側にできた頂角部分を示しているが、下面板１２側にできた場合も構成は同じである。
【００２４】
斜面板１３ｂは、そのほぼ中心を通る基準線Ｌの交点ｐ３が、上面板１１或いは下面板１２の上に位置するように形成されている。上面板１１の厚さａは１．８ｍｍであり（下面板１２も同様）基準線Ｌの交点ｐ３は、中空押出形材１の表面（上面板１１又は下面板１２の外側面）から０．５ｍｍだけ内側に移動した位置にある。すなわち、中空押出形材１の表面表からの距離ｂの値が０．５ｍｍである。本実施形態では、この交点ｐ３の表面からの距離ｂを０．３ｍｍから上面板１１又は下面板１２の板厚の７０パーセントの範囲に位置するようにしている。
【００２５】
次に、図１に示す斜面板１３ａ同士については接合部を見てみる。この斜面板１３ａは、傾斜部２１の基準線Ｌ１同士の交点ｐ４も上面板１１（自由端部１５）の上に位置するように形成されている。すなわち、中空押出形材１は、基準線Ｌ１が自由端部１５の端面と交差する傾きθとなるように傾斜部２１が形成されている。よって、この基準線Ｌ１と下面板１２とを結んだ三角形は中空押出形材１内で閉じており、仮想的には外的に安定したトラスが形成されている。
【００２６】
中空押出形材１は、前述したように上面板１１及び下面板１２の厚さ、斜面板１３ｂの厚さａは１．８ｍｍであり、斜面板１３ａの傾斜部２１は１．８ｍｍの厚さから徐々に厚くなるように変化している。これに対して、上面板１１の自由端部１５の板厚ｃは４．０ｍｍの厚みを有し、更に斜面板１３ａの屈曲部２２の厚さｄはそれよりも厚い４．５ｍｍで形成されている。すなわち、斜面板１３ａの基準線Ｌ１によってつくられる仮想トラスに関し、現実に基準線Ｌ１が重なっていない部分の板厚が厚く形成され、仮想トラスの三角形頂部付近の剛性を高めている。なお、屈曲部２２の厚さｄは、本実施形態では自由端部１５の板厚ｃの９０〜１３０パーセントに設定されている。
【００２７】
更に、突き合わされた自由端部１５は、両方に渡って幅ｅの寸法の平坦部と屈曲部２２へのＲ隅部とから構成されている。ここで、自由端部１５における接合部の長さｆ、すなわち屈曲部２２，２２間の距離は、平坦部の幅ｅは１５ｍｍにＲ隅部の曲率３．５ｍｍ（×２）を加えて２２ｍｍとなる。ところで、これは自由端部１５の板厚ｃが４ｍｍの場合であり、板厚ｃが３ｍｍ、５ｍｍと変化すれば、それに応じて接合部の長さｆが１８ｍｍ、２６ｍｍに変えられる。そこで、自由端部１５における接合部の板厚ｃと長さｆに関し、図４に示すこの３つのパターンＩ〜ＩＩＩについて次のように考察した。
【００２８】
パターンＩＩをＩと比較すると、接合部の長さｆはパターンＩがパターンＩＩの約８２パーセントであり、板厚ｃは７５パーセントになっている。中空押出形材１に作用するせん断力による変形量は（長さｆ／板厚ｃ）に比例するため、長さｆに比べ板厚ｃが薄いパターンＩの場合の方が剛性は低くなる。同様にパターンＩＩをＩＩＩと比較すると、接合部の長さｆはパターンＩＩＩがパターンＩＩの約１８パーセント増であり、板厚ｃは２５パーセント増になる。従って、板厚ｃの増加量が大きいパターンＩＩＩの方が剛性は高くなる。しかし、パターンＩＩＩの場合、剛性は高くなっても重量が増加してしまい、上面板１１など他の構成部分に板厚（１．８〜３．５ｍｍ）に比べても差が大きくなってしまって軽量化の目的に反することになる。そこで、本実施形態では、前述したように自由端部１５の板厚ｃは４．０ｍｍとし、その接合部の長さｆを２２ｍｍとした。
【００２９】
次に、斜面板１３ａの傾斜部２１の基準線Ｌ１の交点ｐ４は、中空押出形材１の表面から距離ｇの値がここでも０．５ｍｍである。すなわち、交点ｐ４の表面からの距離ｇは、前述した交点ｐ３と同様に、表面を基準に０．３ｍｍから上面板１１又は下面板１２の板厚の７０パーセントの範囲内に設定される。
このように交点ｐ３，ｐ４を表面から距離ｂ，ｇ（オフセット量）だけ離した位置に設定したのは、交点ｐ３やｐ４と上面板１１又は下面板１２、或いは自由端部１５の板厚中心とを近づけることができ、中空押出形材１の断面内におけるせん断変形に対する剛性を向上させることができるからである。
【００３０】
ここで、図５及び図６は、交点Ｐ３のオフセット量に対する中空押出形材１の変形量をグラフにして示したものである。両図とも変形量は、交点ｐ３を中空押出形材１の表面（オフセット量＝０）に位置させた時の変形量を１とし、オフセット量を変化させたときの相対値を示している。そして、図５は、オフセット量を実際の寸法で表現した場合を示し、図６は、オフセット量を交点ｐ３が位置する箇所の板厚における割合で表現した場合を示している。
【００３１】
両図は、ともに放物線を描いて変形量が変化した。すなわち、交点ｐ３の位置が上面板１１又は下面板１２の外側表面から離れ、オフセット量が大きくなるに従って変形量は小さくなって最小値をとる。そして、更にオフセット量の値がそれ以上に大きくなると、変形量は逆に上昇する変化をとるようになった。交点ｐ３やｐ４のオフセット量は、変形量が最小値をとるように設定するのが最も好ましい。
【００３２】
しかし、例えば交点ｐ３が位置する斜面板１３ｂ同士、或いは斜面板１３ａと１３ｂが交わる部分は、図１に示すように傾きθの角度が小さすぎたり、大きくなりすぎたりすると、Ｒ部分の肉厚が厚くなってしまい、中空押出形材１の押出し加工の際、上手く型から材料が抜けなくなってしまうことがある。従って、それには斜面板１３ａ，１３ｂの傾きθが所定範囲である必要があり、必ずしも図５及び図６に示す最小値に対応したオフセット量が最適とは限らない。そのため、ある所定の範囲で好ましいオフセット量を決定する必要がある。
【００３３】
その際、図６に示すような割合で決定したのでは、中空押出形材１の各部の板厚は本実施形態のものに限定されないため、自由端部１５のような厚肉部分では交点ｐ４のオフセット量が大きくなって、斜面板１３ａの傾きθによって反対側の交点ｐ３側が影響を受け、前述したように抜けの問題が生じたりする。そこで、オフセット量の範囲の決定には、その下限を図５から実際の距離でとり、上限は図６に示す割合でとることとした。そこで、オフセット量（距離ｂ，ｇ）は、上面板１１又は下面板１２の表面から０．３ｍｍの距離から上面板１１（自由端部１５を含む）又は下面板１２の板厚の７０パーセントの範囲内とした。なお、この範囲内であれば、せん断変形に対する剛性の変化はそれほど大きくないので、必ずしも斜面板１３ｂの交点ｐ３と上面板１１又は下面板１２の板厚中心を一致させる必要はない。
【００３４】
続いて、中空押出形材１の接合部の剛性実験について説明する。図７及び図８は、その剛性実験による実験結果を示した図である。ここでは、図１と図１２に示した本実施形態と従来の中空押出形材１，１３０について比較を行った。試験は、接合部を挟んだ一対の斜面板１３ａ，１３ａなどで切り取り、接合部分だけを抽出した接合試験形材３０，４０を使用した。接合試験形材３０，４０は、上面板と下面板の板厚やその間隔、そしてともに両端に同じ大きさのブロック３１，３２／４１，４２が固定されているが、その幅寸法も等しく形成されている。
【００３５】
そして、接合試験形材３０，４０は、一方のブロック３１，４１が剛性壁に固定されて水平に片持ち支持され、自由端部側のブロック３２，４２に垂直荷重Ｗが下方に与えられる。この剛性実験では、その垂直荷重Ｗによって接合試験形材３０，４０の評価位置Ｓがどれだけ垂直方向に変位したかを測定した。ここでは、分かりやすいように実際の変形量を１００倍にして示した。そして、この実験結果から両者の変位量に差が生じた。垂直荷重Ｗが作用するブロック側の評価点Ｓで計測を行ったところ、本実施形態の接合試験形材３０は従来例の接合試験形材４０よりも６５パーセント程度にその変位量が抑えられた。そこで、接合試験形材３０，４０の変形の違いについて考察する。
【００３６】
先ず、その変形形状を見た場合、接合試験形材４０の変形が大きいのはｐ，ｑ，ｒ，ｓ点で囲まれた台形形状部分が構造的には不安定になっているからと考えられる。そして、この台形形状部分の変形が大きくなっていることが側面板１３４の撓みに表れており、下面板３２の撓みが大きくなった分だけ三角形状のトラスを構成する上面板３１も大きく撓んでしまい、接合試験形材４０全体の垂直方向変位が大きくなってしまっていると考えられる。
【００３７】
これに対して本実施形態の中空押出形材１からなる接合試験形材３０は、垂直方向変位が小さかったが、これはｈ，ｉ，ｊ，ｋ点で囲まれた台形近似形状部分の構造が安定しているからと考えられる。すなわち、図１に示すように、対向する斜面板１３ａの基準線Ｌ１の交点ｐ４は自由端部１５上にあり、またその交点ｐ４は厚肉の自由端部１５及び屈曲部２２によって剛性が高いことにより仮想トラスの三角形頂部を構成している。
従って、実際にはｈ点とｋ点とを結ぶ辺などがあって三角形ではないが、自由端部１５及び屈曲部２２の変形は極めて僅かであるため、接合試験形材３０の斜面板１３ａは、図１に示す基準線Ｌ１と重ねて考えることができ、ｈ，ｉ，ｊ，ｋ点で囲まれた台形近似形状部分は、外的に安定したトラス形状を構成している見ることができる。よって、斜面板１３ｂや下面板１２の撓み量が少ないため、上面板１１の撓みも小さく、接合試験形材３０全体の垂直方向変位が小さくなったと考えられる。
【００３８】
よって、本実施形態では、図１１に示す中空押出形材１１０のように摩擦撹拌接合のために上面板１０１と下面板１０２とを連結する支持板１０４や、図１２に示す中空押出形材１３０のように上面板１３１と下面板１３２を連結する側面板１３４がない構造になっているため、中空押出形材１を軽量化することができた。また、斜面板１３ａを傾斜部２１と屈曲部２２とから形成し、自由端部１５及び屈曲部２２を厚肉にして剛性を高めて仮想トラスを構成することにより、中空押出形材１を突き合わせて摩擦撹拌接合した接合部は外的に安定した構造になって剛性を高めることができた。更に、こうした中空押出形材１から形成される鉄道車両用構体も、軽量化とともに剛性を高めることができた。
【００３９】
また、中空押出形材１を接合して形成した鉄道車両用構体では、接合部を挟んだ屈曲部１３２の距離が広く、摩擦撹拌接合に際して回転工具５０のピンツール５１が入るようにしたので、図１０に示す中空押出形材１５０のように材料が削り取られて強度を低下させることもなくなった。
また、本実施形態の中空押出形材１では、斜面板１３による交点ｐ３やｐ４の表面から距離ｂ，ｇを０．３ｍｍから上面板１１又は下面板１２の板厚の７０パーセントの範囲内に設定したので、交点ｐ３やｐ４と上面板１１又は下面板１２、或いは自由端部１５の板厚中心とを近づけることができ、中空押出形材１の断面内におけるせん断変形に対する剛性を向上させることができた。
【００４０】
以上、本発明の中空押出形材やその中空押出形材からなる鉄道車両用構体について実施形態を説明したが、本発明はこれに限定されることなく、その趣旨を逸脱しない範囲で様々な変更が可能である。
例えば、前記実施形態では鉄道車両用構体を構成する中空押出形材１を説明したが、こうした構成の中空押出形材１は、鉄道車両以外にも建築材として、或いは航空機などの別の分野で使用するものであってもよい。
【図面の簡単な説明】
【００４１】
【図１】中空押出形材の一実施形態について、その接合部を示した図である。
【図２】中空押出形材の一実施形態について、回転工具による接合状態を示した図である。
【図３】中空押出形材の一実施形態について、隣り合う斜面板同士が上面板或いは下面板とで構成するトラスの頂角部分を示した図である。
【図４】接合部の板厚と長さに関し３つのパターンＩ〜ＩＩＩを示した図である。
【図５】基準線の交点のオフセット量に対する中空押出形材の変形量を、実際の寸法で表現した場合のグラフにして示したものである。
【図６】基準線の交点のオフセット量に対する中空押出形材の変形量を、交点が位置する箇所の板厚における割合で表現した場合のグラフにして示したものである。
【図７】実施形態の中空押出形材によって形成した接合試験形材の剛性試験を示した図である。
【図８】従来の中空押出形材によって形成した接合試験形材の剛性試験を示した図である。
【図９】中空押出形材で構成された鉄道車両用構体を示した外観図である。
【図１０】従来の中空押出形材について接合部を回転工具によって接合する状態を示した図である。
【図１１】鉄道車両用構体を構成する中空押出形材の接合部を示した図である。
【図１２】鉄道車両用構体を構成する他の中空押出形材の接合部を示した図である。
【符号の説明】
【００４２】
１    中空押出形材
１１  上面板
１２  下面板
１３  斜面板
１５  自由端部
２１  傾斜部
２２  屈曲部
５０  回転工具
５１，５２  ピンツール
８０  鉄道車両用構体
８１  側構体
８３  屋根構体
【図１】
2007084067.tif 000003
【図２】
2007084067.tif 000004
【図３】
2007084067.tif 000005
【図４】
2007084067.tif 000006
【図５】
2007084067.tif 000007
【図６】
2007084067.tif 000008
【図７】
2007084067.tif 000009
【図８】
2007084067.tif 000010
【図９】
2007084067.tif 000011
【図１０】
2007084067.tif 000012
【図１１】
2007084067.tif 000013
【図１２】
2007084067.tif 000014